(57)【要約】【課題】  夜間でも容易に竿体同士を連結し得る釣竿を提供する。【解決手段】この釣竿は、元竿２１と、元竿１の穂先側に振出形式で連結される元上竿２２とを有する。また、元竿２１の竿元側端部には、尻栓３０が装着される。尻栓３０は、栓本体３１と、栓本体３１内に収納され元竿２１の中空内に向かって照射可能な発光ライト３２とを有している。【選択図】  図６
2005229954.tif 000002
【特許請求の範囲】
【請求項１】
管状体である竿体を複数連結してなる釣竿であって、
第１連結部を穂先側端部に有する第１竿体と、前記第１連結部に連結可能な第２連結部を竿元側端部に有する第２竿体とを備え、前記第１連結部及び／又は前記第２連結部に連結誘導手段が設けられている、釣竿。
【請求項２】
前記第１連結部は印籠芯であり、前記連結誘導手段は蓄光塗料であり、前記蓄光塗料が前記印籠芯の穂先側端面に塗布されている、請求項１に記載の釣竿。
【請求項３】
前記第２連結部は前記第２竿体の竿元側の内周面であり、前記蓄光塗料が前記第２竿体の竿元側端面に塗布されている、請求項２に記載の釣竿。
【請求項４】
前記第１連結部は印籠芯を有し、前記第２竿体は竿元側外周面に装着されるリングを有し、前記連結誘導手段は磁石であって、前記印籠芯及び前記リングが前記磁石である、請求項１に記載の釣竿。
【請求項５】
管状体である竿体を複数連結してなる釣竿であって、
第１連結部を穂先側端部に有する第１竿体と、前記第１連結部に連結可能な第２連結部を竿元側端部に有する第２竿体と、前記第１竿体の竿元側端部に脱着自在に連結される尻栓とを備え、前記尻栓に連結誘導手段が設けられている、釣竿。
【請求項６】
前記尻栓は、前記第１竿体の竿元側に螺着するためのねじ部分を有する栓本体と、前記栓本体内に収納され前記第１竿体の中空内に向かって照射可能な発光部とを有し、前記発光部が前記連結誘導手段である、請求項５に記載の釣竿。
【発明の詳細な説明】
【技術分野】
【０００１】
本発明は、管状体である竿体を複数個連結して構成される釣竿に関する。
【背景技術】
【０００２】
魚釣りに用いられる釣竿は、一般に複数の竿体を連結して一本の長い釣竿となっているものが多い。竿体同士の連結手法の１つとして、「印籠継ぎ」と呼ばれる連結構造が提案されている。この「印籠継ぎ」とは、竿元側に配置される先細り筒状部材である第１竿体と、前記第１竿体の穂先側に配置される先細り筒状部材である第２竿体と、前記第１竿体及び第２竿体より小径で、前記第１竿体の穂先側に一端が挿入され、前記第２竿体の竿元側に他端が挿入される印籠芯とを有している。この印籠芯に第２竿体を挿入して嵌着するのである（例えば、特許文献１参照）。また、他の竿体同士の連結手法として、「並継形式」と呼ばれるものもある。この連結手法では、竿元側に配置される先細り筒状部材である第１竿体の穂先側端部内周面が嵌合雌部となり、前記第１竿体の穂先側に配置される先細り筒状部材である第２竿体の竿元側をこの嵌合雌部に挿入して連結する。
【０００３】
ところで、夜間においても魚釣りを行うことがあるが、このような夜釣りにおいて問題となる点として、夜間の暗闇での種々の操作が行い難いということがある。そこで、夜釣りのために様々な提案が為されている。例えば、ある釣竿に関する提案では、夜釣りの際の糸絡みや当たりの検知を確実にするために、穂先竿を発光させている（特許文献２参照）。また、釣糸の糸絡みや仕掛け交換作業などのために発光体を釣竿の任意の箇所に固定可能とする器具も提案されている（特許文献３参照）。
【特許文献１】特開2000-279063号公報
【特許文献２】特開2001-299156号公報
【特許文献３】特開平10-84821号公報
【発明の開示】
【発明が解決しようとする課題】
【０００４】
このように、これまでの夜釣りのために為されてきた提案は、専ら、釣糸に関する操作乃至動作の利便性を向上させることを前提とする。しかし、複数の竿体を連結して一本の長い釣竿とするような釣竿を用いる場合には、釣り操作を行う前提として釣竿を組み立てなければならない。特に、１つの竿体の長さがある程度長くなると、夜間においては、竿体を連結させる部分を直ちに認識できない。ライトなどを別途準備しても、竿体同士の連結は両手を用いて行われるため、ライトを上手く竿体同士を連結する部位に照射し難い。
【０００５】
本発明は、このような問題点に鑑み、夜間でも容易に竿体同士を連結し得る釣竿を提供するものである。
【課題を解決するための手段】
【０００６】
本発明の釣竿は、管状体である竿体を複数連結してなる釣竿であって、第１連結部を穂先側端部に有する第１竿体と、第１連結部に連結可能な第２連結部を竿元側端部に有する第２竿体とを備えるものである。この第１連結部及び／又は前記第２連結部に連結誘導手段が設けられている。連結誘導手段により、第１竿体の第１連結部に第２竿体の第２連結部を連結作業が誘導される。
【０００７】
ある釣竿においては、この第１連結部は印籠芯であり、連結誘導手段は蓄光塗料であって、この蓄光塗料が印籠芯の穂先側端面に塗布されている。蓄光塗料が夜間でも光を発し、印籠芯を第２竿体の第２連結部に連結し易い。
【０００８】
さらに、第２連結部は第２竿体の竿元側の内周面であり、蓄光塗料が第２竿体の竿元側端面に塗布されていてもよい。印籠芯を第２竿体の竿元側に挿入するにあたって、印籠芯と第２竿体の竿元側端部との蓄光塗料が光を発し、係る作業が容易になる。
【０００９】
また別の釣竿においては、第１連結部は印籠芯を有し、第２竿体は竿元側外周面に装着されるリングを有し、連結誘導手段は磁石である。そして、印籠芯及びリングが磁石である。印籠芯を第２竿体の竿元側に挿入するにあたって、印籠芯と第２竿体のリングとの磁力により、連結作業が容易になる。
【００１０】
本発明の別の釣竿は、管状体である竿体を複数連結してなる釣竿であって、第１連結部を穂先側端部に有する第１竿体と、第１連結部に連結可能な第２連結部を竿元側端部に有する第２竿体と、第１竿体の竿元側端部に脱着自在に連結される尻栓とを備えている。そして、この尻栓に連結誘導手段が設けられている。この連結誘導手段により、第１竿体の第１連結部に第２竿体の第２連結部を連結作業が誘導される。
【００１１】
ここで、ある釣竿では、尻栓は、第１竿体の竿元側に螺着するためのねじ部分を有する栓本体と、栓本体内に収納され第１竿体の中空内に向かって照射可能な発光部とを有する。この発光部が連結誘導手段である。発光部から照射される光が管状体である第１竿体内を通過し、第１竿体の穂先側端部から外部までを照らす。この光により第２竿体と第１竿体との連結作業が容易になる。なお、さらに、第２竿体の穂先側に別の竿体を連結するにあたっても、同様に、尻栓の発光部から照射される光が管状体である第２竿体内も通過し、さらにその穂先側をも照らす。
【発明の効果】
【００１２】
本発明の釣竿では、夜間でも容易に竿体同士を連結することができる。
【発明を実施するための最良の形態】
【００１３】
［第１実施形態］
以下、本発明の第１実施形態について図面を参照しつつ説明する。
【００１４】
本発明の第１実施形態を採用した釣竿は、複数の竿体を並継形式に連結して一本の長い釣竿となっている。図１に、この釣竿の元竿１と、元竿１の穂先側に連結される元上竿２との連結部分を示す。元竿１の周面には、必要に応じて、リールを装着するためのリールシートや、リールからの釣糸を案内するための釣糸ガイドなどが装着される。また、元上竿２の周面にも同様の釣糸ガイドなどが装着される。また、元上竿２の穂先側にはさらに別の中竿乃至穂先竿が連結され、同様の釣糸ガイドなどが周面に装着される。これらの竿体の本数は任意に設定できる。
【００１５】
元竿１は、例えば、炭素繊維に合成樹脂を含浸させたプリプレグをマンドレルに巻回し焼成して得られた先細り筒状部材である。もっとも、元竿１の穂先側においては、穂先側端縁から竿元側ほど小径化するような逆テーパ部分と、この逆テーパ部分の竿元側に連続して形成され軸長方向において凡そ内径の変化しない部分とが形成されている。これらの部分が後述元上竿２が連結される嵌合雌部（連結部）である。元竿１の穂先側端部の外周面には、合成樹脂製のリング３が取り付けられている。このリング３は、その周面に蓄光塗料が塗布されている。
【００１６】
元上竿２も、元竿１と同様に、炭素繊維に合成樹脂を含浸させたプリプレグをマンドレルに巻回し焼成して得られた先細り筒状部材である。その竿元側端部においては、他の部分に比較して一段太径化する部分が形成されている。この太径化しているが上述の元竿１の嵌合雌部に挿入される嵌合雄部（連結部）である。例えば、このような太径化した部分の周面は、ポリエステル等の不織布に合成樹脂を含浸させた不織布系のプリプレグを積層して焼成し形成してもよい。このような元上竿２の竿元側端面の円形状部分には蓄光塗料が塗布されている（図２参照）。または、元上竿２の竿元側端部には、図３に示すような栓部材（底栓）４を別途脱着自在に装着してもよい。この場合、栓部材（底栓）４の竿元側の端面に蓄光塗料を塗布する。
【００１７】
ここでは、元竿１と元上竿２とにおいてそれらの連結部分を説明しているが、元上竿２の穂先側に連結されるその他の竿体の連結部分に関しても、上述のような構造が採用されている。
【００１８】
このような釣竿では、夜釣りに際し各竿体を連結し一本の長い釣竿に組み立てようとする場合、蓄光塗料が夜間でも光を発している。別途、ライトなどを携帯し各竿体を照らすことなく、各竿体の連結部同士を認識しやすく、竿体同士を容易に連結できる。
【００１９】
［第２実施形態］
別の変形例における元竿１１と元上竿１２とを図４に示す。
【００２０】
元竿１１は、第１実施形態と同様に、炭素繊維に合成樹脂を含浸させたプリプレグをマンドレルに巻回し焼成して得られた先細り筒状部材である。この元竿１１の穂先側には、印籠芯１３が装着されている。印籠芯１３は、元竿１と同様に炭素繊維等の強化繊維に合成樹脂を含浸させたプリプレグから形成される筒状部材であり、中空，中実の何れにしてもよい。竿元側の一部が元竿１１の穂先側から挿入されて接着等によって元竿１１に固定されている。印籠芯１３の穂先側（元竿１１より穂先側に突出している部分）が、元上竿１２との連結に用いられ、その外径は元上竿１２の竿元側の内径に合致するように調整されている。中竿１２を十分にこの印籠芯１３に嵌着した際に中竿１２の竿元側端部と元竿１１との間に隙間（遊び）が生じるように径を設定するのがよい。この印籠芯１３は、例えば、中空である場合には、その内部に磁石が挿入され固定される。
【００２１】
元上竿１２も、元竿１と同様に、炭素繊維に合成樹脂を含浸させたプリプレグをマンドレルに巻回し焼成して得られた先細り筒状部材である。その竿元側の内部は上述の印籠芯１３が挿入される連結部である。元上竿１２の竿元側端部の外周には金属製のリング１４が装着されている。もっとも、このリング１４は、印籠芯１３内の磁石と引き合うような逆極の磁石としてもよい。
【００２２】
このような釣竿では、夜釣りに際し各竿体を連結し一本の長い釣竿に組み立てようとする場合、元竿１１の印籠芯１３と元上竿１２のリング１４とが磁力により引き合い、夜間でもライトなどを携帯し各竿体を照らすことなく、凡その位置が確認可能であり、竿体同士を容易に連結できる。
【００２３】
なお、ここでは磁石を利用した場合を示しているが、印籠芯１３に磁石を内包する代わりに、印籠芯１３の穂先側の端面に蓄光塗料を塗布してもよい。第１実施形態と同様に、その光により容易に元上竿１２と元竿１１とを連結できる。
【００２４】
［第３実施形態］
本発明のさらに別の実施形態につき、図面を参照しつつ説明する。
【００２５】
この釣竿も、第１実施形態と同様に、複数の竿体を並継形式で連結して一本の長い釣竿となる。図５及び６に、この釣竿の元竿２１と、元竿２１の穂先側に脱着自在に装着される尻栓３０とを示す。元竿２１は、第１実施形態と同様に、その周面には、必要に応じて、リールを装着するためのリールシートや、リールからの釣糸を案内するための釣糸ガイドなどが装着される。また、竿体の本数は任意に設定できる。
【００２６】
元竿２１は、例えば、炭素繊維に合成樹脂を含浸させたプリプレグをマンドレルに巻回し焼成して得られた先細り筒状部材である。図７に示すように、穂先側端部には振出形式で元上竿２２を連結するための連結部分が形成される。また、図６に示すように、元竿２１の竿元側端部内周面にはねじ溝が形成され雌ねじ部分となっている。
【００２７】
尻栓３０は、上述の元竿２１の竿元側の雌ねじ部分に脱着自在に螺着する栓である。この尻栓３０は、栓本体３１と栓本体３１内に収納される発光ライト３２とを有する。
【００２８】
栓本体３１は、軸方向に貫通する中空が形成された略筒状体である。穂先側の外周面に上述の雌ねじ部分に螺着するためのねじ部分３１ａが形成されている。ねじ部分３１ａの竿元側は鍔状の拡径しており、さらにその竿元側には一段小径に竿元側に突出する突出部分が形成される。突出部分の頭端はまた鍔状に拡径している。また、栓本体３１の内周面には、軸長方向の中央よりやや穂先側よりにおいて、内径方向に周状に突出するストッパが形成されている。なお、栓本体３１の穂先側の端面にはゴムリング３３を必要に応じて装着してもよい。さらに、栓本体３１の竿元側にはゴムカバー３４が取り付けられる。ゴムカバー３４は上述の栓本体３１の突出部分の鍔状部分に噛み合って脱着自在に栓本体３１に取り付けられている。ゴムカバー３４は筒状の栓本体３１の竿元側の開口を覆う。
【００２９】
発光ライト３２は、筒状の栓本体３１の内部に竿元側の開口から挿入され、ストッパとゴムカバー３４とによって、栓本体３１内に収納される。発光ライト３２としては、釦型電池などを収納したバレット型のLEDライトなどを利用できる。この発光ライト３２は、筒状の栓本体３１の穂先側の開口から外部を照射する。従って、この尻栓３０を元竿２１の竿元側に螺着することで、発光ライト３２は管状体である元竿２１の内部を軸長方向に照らす。
【００３０】
元上竿２２も、元竿１と同様に、炭素繊維に合成樹脂を含浸させたプリプレグをマンドレルに巻回し焼成して得られた先細り筒状部材である。竿元側端部の外周面は一部が太径化して嵌合雄部（連結部）となっている。
【００３１】
このような釣竿では、夜釣りに際し各竿体を連結し一本の長い釣竿に組み立てようとする際、例えば、元竿２１の穂先側に元上竿２２を連結する場合、尻栓３０の発光ライト３２から元竿２１内を照射する光が管状体である元竿２１を通過し、元竿２１の穂先側端部から外部までを照らす（図７参照）。この光により元上竿２２と元竿２１との連結作業が容易になる。なお、さらに、元上竿２２の穂先側に別の竿体を連結するにあたっても、同様に、尻栓３０の発光部から照射される光が管状体である元上竿２２も通過し、さらにその穂先側をも照らすことになる。
【図面の簡単な説明】
【００３２】
【図１】第１実施形態の釣竿の元竿１と元上竿２との連結部分を示した図。
【図２】図１の元上竿２の後方視図。
【図３】図１の元上竿２の変形例を示した図。
【図４】第２実施形態の釣竿の元竿１１と元上竿１２との連結部分を示した図。
【図５】第３実施形態の釣竿の元竿２１を示した図。
【図６】図５の断面図。
【図７】図５の釣竿の元竿２１と元上竿２２との連結部分を示した図。
【符号の説明】
【００３３】
１，１１，２１  元竿
２，１２，２２  元上竿
３０  尻栓
３１  栓本体
３２  発光ライト
【図１】
2005229954.tif 000003
【図２】
2005229954.tif 000004
【図３】
2005229954.tif 000005
【図４】
2005229954.tif 000006
【図５】
2005229954.tif 000007
【図６】
2005229954.tif 000008
【図７】
2005229954.tif 000009